(57)【特許請求の範囲】
【請求項１】
複数の装置と該複数の装置と通信するサーバ装置とを備える二次電池パック提供システムにおいて、
各ユーザが保有する装置は、二次電池パック装着機能手段により、２個以上の二次電池パックを搭載することが可能であると共に、１個のみの二次電池パックでも動作することが可能であり、
第１のユーザが保有する第１の装置は、該第１の装置に搭載されている二次電池パックを、第２のユーザが保有する第２の装置に換装した場合、換装された前記二次電池パック以外の搭載されている二次電池パックを用いて動作を続ける手段を備え、
前記第２の装置は、換装により新たに搭載されることとなった前記二次電池パックを用いて動作をする手段を備え、
前記第１の装置が、第１の残量把握手段により、二次電池パックの残量が第１の閾値以上であることを把握すると、第１の通信機能手段により、前記サーバ装置に対して、前記二次電池パックの残量が第１の閾値以上である情報を送信し、
前記第２の装置が、第２の残量把握手段により、二次電池パックの残量が第２の閾値以下であることを把握すると、第２の通信機能手段により、前記サーバ装置に対して、前記二次電池パックのシェア要求を送信し、
前記サーバ装置は、前記シェア要求を受信すると、前記シェア要求を前記第１の装置に送信し、
前記第１の装置が、前記第１の通信機能手段により、前記シェア要求を受信し、該シェア要求に対する合意信号を前記サーバ装置に送信した場合は、前記サーバ装置は、前記第１の装置を含む、前記二次電池パックの残量が第１の閾値以上である一つ以上の装置に関する情報を前記第２の装置に送信し、
前記第２の装置が、前記第２の通信機能手段により、前記二次電池パックの残量が第１の閾値以上である一つ以上の装置の中から、前記第１の装置を選択する信号を前記サーバ装置に送信した場合は、前記第１の装置及び前記第２の装置は、前記サーバ装置から送られてきた相手ユーザに関する情報に基づいて、電話、電子メール、又は前記サーバ装置のコミュニケーション機能手段により相互に通信し、
前記通信を用いて、前記第１のユーザと前記第２のユーザとが待ち合わせをした場合、前記第１の装置の第１の近距離通信手段と前記第２の装置の第２の近距離通信手段とにより、前記第１の装置と前記第２の装置とは相互に認証を実行し、
前記認証の実行の後、前記第１の装置は、前記換装された前記二次電池パック以外の搭載されている前記二次電池パックを用いて動作を続け、前記第２の装置は、前記換装により新たに搭載されることとなった前記二次電池パックを用いて動作をすることを特徴とする二次電池パック提供システム。
【請求項２】
複数の装置と該複数の装置と通信するサーバ装置とを備える二次電池パック提供システムで用いられる二次電池パック提供方法において、
各ユーザが保有する装置は、二次電池パック装着機能手段により、２個以上の二次電池パックを搭載することが可能であると共に、１個のみの二次電池パックでも動作することが可能であり、
第１のユーザが保有する第１の装置は、該第１の装置に搭載されている二次電池パックを、第２のユーザが保有する第２の装置に換装した場合、換装された前記二次電池パック以外の搭載されている二次電池パックを用いて動作を続ける手段を備え、
前記第２の装置は、換装により新たに搭載されることとなった前記二次電池パックを用いて動作をする手段を備え、
前記第１の装置が、第１の残量把握手段により、二次電池パックの残量が第１の閾値以上であることを把握すると、第１の通信機能手段により、前記サーバ装置に対して、前記二次電池パックの残量が第１の閾値以上である情報を送信し、
前記第２の装置が、第２の残量把握手段により、二次電池パックの残量が第２の閾値以下であることを把握すると、第２の通信機能手段により、前記サーバ装置に対して、前記二次電池パックのシェア要求を送信し、
前記サーバ装置は、前記シェア要求を受信すると、前記シェア要求を前記第１のユーザが保有する第１の装置に送信し、
前記第１の装置が、前記第１の通信機能手段により、前記シェア要求を受信し、該シェア要求に対する合意信号を前記サーバ装置に送信した場合は、前記サーバ装置は、前記第１の装置を含む、前記二次電池パックの残量が第１の閾値以上である一つ以上の装置に関する情報を前記第２の装置に送信し、
前記第２の装置が、前記第２の通信機能手段により、前記二次電池パックの残量が第１の閾値以上である一つ以上の装置の中から、前記第１の装置を選択する信号を前記サーバ装置に送信した場合は、前記第１の装置及び前記第２の装置は、前記サーバ装置から送られてきた相手ユーザに関する情報に基づいて、電話、電子メール、又は前記サーバ装置のコミュニケーション機能手段により相互に通信し、
前記通信を用いて、前記第１のユーザと前記第２のユーザとが待ち合わせをした場合、前記第１の装置の第１の近距離通信手段と前記第２の装置の第２の近距離通信手段とにより、前記第１の装置と前記第２の装置とは相互に認証を実行し、
前記認証の実行の後、前記第１の装置は、前記換装された前記二次電池パック以外の搭載されている前記二次電池パックを用いて動作を続け、前記第２の装置は、前記換装により新たに搭載されることとなった前記二次電池パックを用いて動作をすることを特徴とする二次電池パック提供方法。
【請求項３】
二次電池パック装着機能手段により、２個以上の二次電池パックを搭載することが可能であると共に、１個のみの二次電池パックでも動作することが可能であり、
他のユーザが保有する他の装置に搭載されている二次電池パックを、当該装置のユーザが保有する当該装置に換装した場合、当該装置は、換装により新たに搭載されることとなった前記二次電池パックを用いて動作をする手段を備え、
当該装置が、残量把握手段により、二次電池パックの残量が第１の閾値以下であることを把握すると、通信機能手段により、サーバ装置に対して、前記二次電池パックのシェア要求を送信し、
当該装置が、前記二次電池パックの残量が第２の閾値以上である一つ以上の装置に関する情報を、前記通信機能手段により前記サーバ装置から受信し、当該装置が、前記通信機能手段により、前記二次電池パックの残量が第２の閾値以上である一つ以上の装置の中から、１の他の装置を選択する信号を前記サーバ装置に送信した場合は、当該装置は、前記サーバ装置から送られてきた相手ユーザに関する情報に基づいて、電話、電子メール、又は前記サーバ装置のコミュニケーション機能手段により、前記１の他の装置と通信し、
前記通信を用いて、当該装置のユーザと前記１の他の装置のユーザとが待ち合わせをした場合、当該装置は、近距離通信手段により前記１の他の装置の認証をし、
前記認証の後、当該装置は、前記換装により新たに搭載されることとなった前記二次電池パックを用いて動作をすることを特徴とする装置。
【請求項４】
二次電池パック装着機能手段により、２個以上の二次電池パックを搭載することが可能であると共に、１個のみの二次電池パックでも動作することが可能であり、
当該装置は、当該装置のユーザが保有する当該装置に搭載されている二次電池パックを、他のユーザが保有する他の装置に換装した場合、換装された前記二次電池パック以外の搭載されている二次電池パックを用いて動作を続ける手段を備え、
当該装置が、残量把握手段により、二次電池パックの残量が第１の閾値以上であることを把握すると、通信機能手段により、サーバ装置に対して、前記二次電池パックの残量が第１の閾値以上である情報を送信し、
他の装置から前記二次電池パックのシェア要求を受信した前記サーバ装置から該シェア要求を受信し、該シェア要求に対する合意信号を前記サーバ装置に送信し、
前記他の装置が前記サーバ装置に対して当該装置を選択する信号を送信した場合は、当該装置は、前記サーバ装置から送られてきた相手ユーザに関する情報に基づいて、電話、電子メール、又は前記サーバ装置のコミュニケーション機能手段により、前記他の装置と通信し、
前記通信を用いて、当該装置のユーザと前記他の装置のユーザとが待ち合わせをした場合、当該装置は、近距離通信手段により前記他の装置の認証をし、
前記認証の後、当該装置は、換装された前記二次電池パック以外の搭載されている二次電池パックを用いて動作を続けることを特徴とする装置。
【請求項５】
各ユーザが保有する装置は、二次電池パック装着機能手段により、２個以上の二次電池パックを搭載することが可能であると共に、１個のみの二次電池パックでも動作することが可能であり、
第１のユーザが保有する第１の装置は、該第１の装置に搭載されている二次電池パックを、第２のユーザが保有する第２の装置に換装した場合、換装された前記二次電池パック以外の搭載されている二次電池パックを用いて動作を続ける手段を備え、
前記第２の装置は、換装により新たに搭載されることとなった前記二次電池パックを用いて動作をする手段を備え、
前記第１の装置が、第１の残量把握手段により、二次電池パックの残量が第１の閾値以上であることを把握し、第１の通信機能手段により、当該サーバ装置に対して、前記二次電池パックの残量が第１の閾値以上である情報を送信した場合は、当該サーバ装置が、前記第１の装置から、前記二次電池パックの残量が第１の閾値以上である情報を受信し、
前記第２の装置が、第２の残量把握手段により、二次電池パックの残量が第２の閾値以下であることを把握し、第２の通信機能手段により、当該サーバ装置に対して、前記二次電池パックのシェア要求を送信した場合は、当該サーバ装置が、前記第２の装置から、前記二次電池パックのシェア要求を受信し、該シェア要求を前記第１の装置に送信し、
当該サーバ装置が、前記第１の装置から前記シェア要求に対する合意信号を受信した場合は、前記第１の装置を含む、前記二次電池パックの残量が第１の閾値以上である一つ以上の装置に関する情報を前記第２の装置に送信し、
当該サーバ装置が、前記第２の装置から、前記二次電池パックの残量が第１の閾値以上である一つ以上の装置の中から、前記第１の装置を選択する信号を受信した場合は、前記第１の装置及び前記第２の装置に対し、相手ユーザに関する情報を送信することを特徴とするサーバ装置。
【請求項６】
複数の装置と、店舗又は充電シェアポストと、前記複数の装置と前記店舗又は充電シェアポストと通信するサーバ装置とを備える二次電池パック提供システムにおいて、
各ユーザが保有する装置は、二次電池パック装着機能手段により、２個以上の二次電池パックを搭載することが可能であると共に、１個のみの二次電池パックでも動作することが可能であり、換装により新たに搭載されることとなった前記二次電池パックを用いて動作をする手段を備え、
前記店舗又は充電シェアポストは、前記二次電池パックを充電し提供する手段を備え、
前記装置が、残量把握手段により、二次電池パックの残量が閾値以下であることを把握すると、通信機能手段により、前記サーバ装置に対して、前記二次電池パックのシェア要求を送信し、
前記サーバ装置は、前記シェア要求を受信すると、前記店舗又は充電シェアポストの位置情報を前記装置に送信し、
前記位置情報を基に、前記ユーザが前記店舗又は充電シェアポストの場所まで移動した場合、前記端末の第１の近距離通信手段と前記店舗又は充電シェアポストの第２の近距離通信手段とにより、前記端末と前記店舗又は充電シェアポストとは相互に認証を実行し、
前記認証の後、前記装置は、前記換装により新たに搭載されることとなった、前記店舗又は充電シェアポストにより提供された前記二次電池パックを用いて動作をすることを特徴とする二次電池パック提供システム。
【請求項７】
複数の装置と、店舗又は充電シェアポストと、前記複数の装置と前記店舗又は充電シェアポストと通信するサーバ装置とを備える二次電池パック提供システムで用いられる二次電池パック提供方法において、
各ユーザが保有する装置は、二次電池パック装着機能手段により、２個以上の二次電池パックを搭載することが可能であると共に、１個のみの二次電池パックでも動作することが可能であり、換装により新たに搭載されることとなった前記二次電池パックを用いて動作をする手段を備え、
前記店舗又は充電シェアポストは、前記二次電池パックを充電し提供する手段を備え、
前記装置が、残量把握手段により、二次電池パックの残量が閾値以下であることを把握すると、通信機能手段により、前記サーバ装置に対して、前記二次電池パックのシェア要求を送信し、
前記サーバ装置は、前記シェア要求を受信すると、前記店舗又は充電シェアポストの位置情報を前記装置に送信し、
前記位置情報を基に、前記ユーザが前記店舗又は充電シェアポストの場所まで移動した場合、前記端末の第１の近距離通信手段と前記店舗又は充電シェアポストの第２の近距離通信手段とにより、前記端末と前記店舗又は充電シェアポストとは相互に認証を実行し、
前記認証の後、前記装置は、前記換装により新たに搭載されることとなった、前記店舗又は充電シェアポストにより提供された前記二次電池パックを用いて動作をすることを特徴とする二次電池パック提供方法。
【請求項８】
二次電池パック装着機能手段により、２個以上の二次電池パックを搭載することが可能であると共に、１個のみの二次電池パックでも動作することが可能であり、換装により新たに搭載されることとなった前記二次電池パックを用いて動作をする手段を備え、
当該装置が、残量把握手段により、二次電池パックの残量が閾値以下であることを把握すると、通信機能手段により、サーバ装置に対して、前記二次電池パックのシェア要求を送信し、
前記サーバ装置が、二次電池パックを提供する店舗又は充電シェアポストの位置情報を前記装置に送信し、前記位置情報を基に、前記ユーザが前記店舗又は充電シェアポストの場所まで移動した場合、当該装置は、近距離通信手段により前記店舗又は充電シェアポストの認証をし、
前記認証の後、当該装置は、前記換装により新たに搭載されることとなった、前記店舗又は充電シェアポストにより提供された前記二次電池パックを用いて動作をすることを特徴とする装置。
【請求項９】
各ユーザが保有する装置は、二次電池パック装着機能手段により、２個以上の二次電池パックを搭載することが可能であると共に、１個のみの二次電池パックでも動作することが可能であり、換装により新たに搭載されることとなった前記二次電池パックを用いて動作をする手段を備え、
店舗又は充電シェアポストは、前記二次電池パックを充電し提供する手段を備え、
前記装置が、残量把握手段により、二次電池パックの残量が閾値以下であることを把握し、通信機能手段により、前記サーバ装置に対して、前記二次電池パックのシェア要求を送信した場合、
当該サーバ装置は、前記シェア要求を受信すると、前記店舗又は充電シェアポストの位置情報を前記装置に送信することを特徴とするサーバ装置。
【発明の詳細な説明】
【技術分野】
【０００１】
本発明は、携帯端末などで用いられる二次電池パックを、それを保持している会員から、それを要求する会員に、提供するための二次電池パック提供方法、そのシステム、そのシステムに含まれる装置、そのシステムに含まれるサーバ装置、及び、そのシステムに含まれる充電装置に関する。
【背景技術】
【０００２】
出先における携帯電話、スマートフォンなどの携帯端末の二次電池切れに対応するために、ユーザは、通常は、予備の二次電池を持ち歩いたり、どこかで充電装置又は電源を借りる必要がある。予備の二次電池を持ち歩くと携帯性が損なわれ、充電装置又は電源を借りると、そこで充電する時間を必要とするという欠点があった。
【０００３】
特許文献１には、携帯端末を充電する充電装置を含む充電システムが記載されている。
【０００４】
特許文献２には、コンビニエンスストアなどで携帯端末の二次電池を充電するサービスにおいて、充電量に応じた従量制の課金を行うためのシステムが開示されている。
【０００５】
特許文献３には、バーコードの形態のチケットを読んだ会員の携帯端末の二次電池に充電をする充電サービスが開示されている。
【０００６】
特許文献４には、商用コンセントに付随する非接触型タグと、携帯端末に備わる非接触型タグリーダと、課金用サーバと、公衆回線網を用いて、商用コンセントを用いて携帯端末の二次電池を充電することの可否の制御と充電に対する課金を行うシステムが記載されている。
【０００７】
特許文献５には、ユーザの希望に応じた二次電池を提供する二次電池レンタルシステムであって、二次電池レンタルサービス事業者のサーバが、各二次電池の蓄積可能な電気量を記憶する記憶装置を参照し、蓄積可能な電気量に基づいて各二次電池のレンタル料金を設定する料金設定部と、ユーザに提供した二次電池について、レンタル料金を課金する課金部とを有するものが記載されている。
【先行技術文献】
【特許文献】
【０００８】
【特許文献１】特開２０１０−２７３４１９号公報
【特許文献２】特開２００８−２４５３５９号公報
【特許文献３】特開２００７−２８８９４０号公報
【特許文献４】特開２０１０−２５０５６５号公報
【特許文献５】特開２０１１−１１８６３８号公報
【発明の概要】
【発明が解決しようとする課題】
【０００９】
特許文献１乃至４に開示されている技術では、ユーザは、自分の携帯端末の二次電池が充電装置により充電されるまでの間待つ必要があるため、その間、自分の時間が束縛され、また、自分の携帯端末を利用することができない。
【００１０】
特許文献５の技術は、二次電池パックをレンタルするものであるので、ユーザが、自分の携帯端末の二次電池パックが充電装置により充電されるまでの間待つ必要がなくなる。従って、上述した特許文献１乃至４に開示されている技術の問題を解決することができる。
【００１１】
しかし、特許文献５の技術では、あくまで、レンタル用の二次電池パックは、電池集配店に置かれており、貸出元は、電池レンタルサービス事業者である。
【００１２】
ユーザが貸出先となるばかりではなく、状況に応じて貸出元となり、充電済みの二次電池パックを必要とするユーザが、充電済みの二次電池パックを保有していて近くに居る別のユーザからそれを提供して貰えれば、便利である。この点、特許文献５の技術では、これは可能とならない。
【００１３】
そこで、本発明は、充電済みの二次電池パックを必要とするユーザが、充電済みの二次電池パックを保有していて近くに居る別のユーザからそれを提供して貰えることを可能とする、二次電池パック提供方法、そのシステム、装置、サーバ装置及び充電装置を提供することを目的とする。
【課題を解決するための手段】
【００１４】
本発明によれば、複数の装置と該複数の装置と通信するサーバ装置とを備える二次電池パック提供システムにおいて、各ユーザが保有する装置は、二次電池パック装着機能手段により、２個以上の二次電池パックを搭載することが可能であると共に、１個のみの二次電池パックでも動作することが可能であり、第１のユーザが保有する第１の装置は、該第１の装置に搭載されている二次電池パックを、第２のユーザが保有する第２の装置に換装した場合、換装された前記二次電池パック以外の搭載されている二次電池パックを用いて動作を続ける手段を備え、前記第２の装置は、換装により新たに搭載されることとなった前記二次電池パックを用いて動作をする手段を備え、前記第１の装置が、第１の残量把握手段により、二次電池パックの残量が第１の閾値以上であることを把握すると、第１の通信機能手段により、前記サーバ装置に対して、前記二次電池パックの残量が第１の閾値以上である情報を送信し、前記第２の装置が、第２の残量把握手段により、二次電池パックの残量が第２の閾値以下であることを把握すると、第２の通信機能手段により、前記サーバ装置に対して、前記二次電池パックのシェア要求を送信し、前記サーバ装置は、前記シェア要求を受信すると、前記シェア要求を前記第１の装置に送信し、前記第１の装置が、前記第１の通信機能手段により、前記シェア要求を受信し、該シェア要求に対する合意信号を前記サーバ装置に送信した場合は、前記サーバ装置は、前記第１の装置を含む、前記二次電池パックの残量が第１の閾値以上である一つ以上の装置に関する情報を前記第２の装置に送信し、前記第２の装置が、前記第２の通信機能手段により、前記二次電池パックの残量が第１の閾値以上である一つ以上の装置の中から、前記第１の装置を選択する信号を前記サーバ装置に送信した場合は、前記第１の装置及び前記第２の装置は、前記サーバ装置から送られてきた相手ユーザに関する情報に基づいて、電話、電子メール、又は前記サーバ装置のコミュニケーション機能手段により相互に通信し、前記通信を用いて、前記第１のユーザと前記第２のユーザとが待ち合わせをした場合、前記第１の装置の第１の近距離通信手段と前記第２の装置の第２の近距離通信手段とにより、前記第１の装置と前記第２の装置とは相互に認証を実行し、前記認証の実行の後、前記第１の装置は、前記換装された前記二次電池パック以外の搭載されている前記二次電池パックを用いて動作を続け、前記第２の装置は、前記換装により新たに搭載されることとなった前記二次電池パックを用いて動作をすることを特徴とする二次電池パック提供システムが提供される。
【００１５】
また、本発明によれば、複数の装置と該複数の装置と通信するサーバ装置とを備える二次電池パック提供システムで用いられる二次電池パック提供方法において、各ユーザが保有する装置は、二次電池パック装着機能手段により、２個以上の二次電池パックを搭載することが可能であると共に、１個のみの二次電池パックでも動作することが可能であり、第１のユーザが保有する第１の装置は、該第１の装置に搭載されている二次電池パックを、第２のユーザが保有する第２の装置に換装した場合、換装された前記二次電池パック以外の搭載されている二次電池パックを用いて動作を続ける手段を備え、前記第２の装置は、換装により新たに搭載されることとなった前記二次電池パックを用いて動作をする手段を備え、前記第１の装置が、第１の残量把握手段により、二次電池パックの残量が第１の閾値以上であることを把握すると、第１の通信機能手段により、前記サーバ装置に対して、前記二次電池パックの残量が第１の閾値以上である情報を送信し、前記第２の装置が、第２の残量把握手段により、二次電池パックの残量が第２の閾値以下であることを把握すると、第２の通信機能手段により、前記サーバ装置に対して、前記二次電池パックのシェア要求を送信し、前記サーバ装置は、前記シェア要求を受信すると、前記シェア要求を前記第１のユーザが保有する第１の装置に送信し、前記第１の装置が、前記第１の通信機能手段により、前記シェア要求を受信し、該シェア要求に対する合意信号を前記サーバ装置に送信した場合は、前記サーバ装置は、前記第１の装置を含む、前記二次電池パックの残量が第１の閾値以上である一つ以上の装置に関する情報を前記第２の装置に送信し、前記第２の装置が、前記第２の通信機能手段により、前記二次電池パックの残量が第１の閾値以上である一つ以上の装置の中から、前記第１の装置を選択する信号を前記サーバ装置に送信した場合は、前記第１の装置及び前記第２の装置は、前記サーバ装置から送られてきた相手ユーザに関する情報に基づいて、電話、電子メール、又は前記サーバ装置のコミュニケーション機能手段により相互に通信し、前記通信を用いて、前記第１のユーザと前記第２のユーザとが待ち合わせをした場合、前記第１の装置の第１の近距離通信手段と前記第２の装置の第２の近距離通信手段とにより、前記第１の装置と前記第２の装置とは相互に認証を実行し、前記認証の実行の後、前記第１の装置は、前記換装された前記二次電池パック以外の搭載されている前記二次電池パックを用いて動作を続け、前記第２の装置は、前記換装により新たに搭載されることとなった前記二次電池パックを用いて動作をすることを特徴とする二次電池パック提供方法が提供される。
【００１６】
更に、本発明によれば、二次電池パック装着機能手段により、２個以上の二次電池パックを搭載することが可能であると共に、１個のみの二次電池パックでも動作することが可能であり、他のユーザが保有する他の装置に搭載されている二次電池パックを、当該装置のユーザが保有する当該装置に換装した場合、当該装置は、換装により新たに搭載されることとなった前記二次電池パックを用いて動作をする手段を備え、当該装置が、残量把握手段により、二次電池パックの残量が第１の閾値以下であることを把握すると、通信機能手段により、サーバ装置に対して、前記二次電池パックのシェア要求を送信し、当該装置が、前記二次電池パックの残量が第２の閾値以上である一つ以上の装置に関する情報を、前記通信機能手段により前記サーバ装置から受信し、当該装置が、前記通信機能手段により、前記二次電池パックの残量が第２の閾値以上である一つ以上の装置の中から、１の他の装置を選択する信号を前記サーバ装置に送信した場合は、当該装置は、前記サーバ装置から送られてきた相手ユーザに関する情報に基づいて、電話、電子メール、又は前記サーバ装置のコミュニケーション機能手段により、前記１の他の装置と通信し、前記通信を用いて、当該装置のユーザと前記１の他の装置のユーザとが待ち合わせをした場合、当該装置は、近距離通信手段により前記１の他の装置の認証をし、前記認証の後、当該装置は、前記換装により新たに搭載されることとなった前記二次電池パックを用いて動作をすることを特徴とする装置が提供される。
【００１７】
更に、本発明によれば、二次電池パック装着機能手段により、２個以上の二次電池パックを搭載することが可能であると共に、１個のみの二次電池パックでも動作することが可能であり、当該装置は、当該装置のユーザが保有する当該装置に搭載されている二次電池パックを、他のユーザが保有する他の装置に換装した場合、換装された前記二次電池パック以外の搭載されている二次電池パックを用いて動作を続ける手段を備え、当該装置が、残量把握手段により、二次電池パックの残量が第１の閾値以上であることを把握すると、通信機能手段により、サーバ装置に対して、前記二次電池パックの残量が第１の閾値以上である情報を送信し、他の装置から前記二次電池パックのシェア要求を受信した前記サーバ装置から該シェア要求を受信し、該シェア要求に対する合意信号を前記サーバ装置に送信し、前記他の装置が前記サーバ装置に対して当該装置を選択する信号を送信した場合は、当該装置は、前記サーバ装置から送られてきた相手ユーザに関する情報に基づいて、電話、電子メール、又は前記サーバ装置のコミュニケーション機能手段により、前記他の装置と通信し、前記通信を用いて、当該装置のユーザと前記他の装置のユーザとが待ち合わせをした場合、当該装置は、近距離通信手段により前記他の装置の認証をし、前記認証の後、当該装置は、換装された前記二次電池パック以外の搭載されている二次電池パックを用いて動作を続けることを特徴とする装置が提供される。
【００１８】
更に、本発明によれば、各ユーザが保有する装置は、二次電池パック装着機能手段により、２個以上の二次電池パックを搭載することが可能であると共に、１個のみの二次電池パックでも動作することが可能であり、第１のユーザが保有する第１の装置は、該第１の装置に搭載されている二次電池パックを、第２のユーザが保有する第２の装置に換装した場合、換装された前記二次電池パック以外の搭載されている二次電池パックを用いて動作を続ける手段を備え、前記第２の装置は、換装により新たに搭載されることとなった前記二次電池パックを用いて動作をする手段を備え、前記第１の装置が、第１の残量把握手段により、二次電池パックの残量が第１の閾値以上であることを把握し、第１の通信機能手段により、当該サーバ装置に対して、前記二次電池パックの残量が第１の閾値以上である情報を送信した場合は、当該サーバ装置が、前記第１の装置から、前記二次電池パックの残量が第１の閾値以上である情報を受信し、前記第２の装置が、第２の残量把握手段により、二次電池パックの残量が第２の閾値以下であることを把握し、第２の通信機能手段により、当該サーバ装置に対して、前記二次電池パックのシェア要求を送信した場合は、当該サーバ装置が、前記第２の装置から、前記二次電池パックのシェア要求を受信し、該シェア要求を前記第１の装置に送信し、当該サーバ装置が、前記第１の装置から前記シェア要求に対する合意信号を受信した場合は、前記第１の装置を含む、前記二次電池パックの残量が第１の閾値以上である一つ以上の装置に関する情報を前記第２の装置に送信し、当該サーバ装置が、前記第２の装置から、前記二次電池パックの残量が第１の閾値以上である一つ以上の装置の中から、前記第１の装置を選択する信号を受信した場合は、前記第１の装置及び前記第２の装置に対し、相手ユーザに関する情報を送信することを特徴とするサーバ装置が提供される。
【００１９】
更に、本発明によれば、複数の装置と、店舗又は充電シェアポストと、前記複数の装置と前記店舗又は充電シェアポストと通信するサーバ装置とを備える二次電池パック提供システムにおいて、各ユーザが保有する装置は、二次電池パック装着機能手段により、２個以上の二次電池パックを搭載することが可能であると共に、１個のみの二次電池パックでも動作することが可能であり、換装により新たに搭載されることとなった前記二次電池パックを用いて動作をする手段を備え、前記店舗又は充電シェアポストは、前記二次電池パックを充電し提供する手段を備え、前記装置が、残量把握手段により、二次電池パックの残量が閾値以下であることを把握すると、通信機能手段により、前記サーバ装置に対して、前記二次電池パックのシェア要求を送信し、前記サーバ装置は、前記シェア要求を受信すると、前記店舗又は充電シェアポストの位置情報を前記装置に送信し、前記位置情報を基に、前記ユーザが前記店舗又は充電シェアポストの場所まで移動した場合、前記端末の第１の近距離通信手段と前記店舗又は充電シェアポストの第２の近距離通信手段とにより、前記端末と前記店舗又は充電シェアポストとは相互に認証を実行し、前記認証の後、前記装置は、前記換装により新たに搭載されることとなった、前記店舗又は充電シェアポストにより提供された前記二次電池パックを用いて動作をすることを特徴とする二次電池パック提供システムが提供される。
更に、本発明によれば、複数の装置と、店舗又は充電シェアポストと、前記複数の装置と前記店舗又は充電シェアポストと通信するサーバ装置とを備える二次電池パック提供システムで用いられる二次電池パック提供方法において、各ユーザが保有する装置は、二次電池パック装着機能手段により、２個以上の二次電池パックを搭載することが可能であると共に、１個のみの二次電池パックでも動作することが可能であり、換装により新たに搭載されることとなった前記二次電池パックを用いて動作をする手段を備え、前記店舗又は充電シェアポストは、前記二次電池パックを充電し提供する手段を備え、前記装置が、残量把握手段により、二次電池パックの残量が閾値以下であることを把握すると、通信機能手段により、前記サーバ装置に対して、前記二次電池パックのシェア要求を送信し、前記サーバ装置は、前記シェア要求を受信すると、前記店舗又は充電シェアポストの位置情報を前記装置に送信し、前記位置情報を基に、前記ユーザが前記店舗又は充電シェアポストの場所まで移動した場合、前記端末の第１の近距離通信手段と前記店舗又は充電シェアポストの第２の近距離通信手段とにより、前記端末と前記店舗又は充電シェアポストとは相互に認証を実行し、前記認証の後、前記装置は、前記換装により新たに搭載されることとなった、前記店舗又は充電シェアポストにより提供された前記二次電池パックを用いて動作をすることを特徴とする二次電池パック提供方法が提供される。
更に、本発明によれば、二次電池パック装着機能手段により、２個以上の二次電池パックを搭載することが可能であると共に、１個のみの二次電池パックでも動作することが可能であり、換装により新たに搭載されることとなった前記二次電池パックを用いて動作をする手段を備え、当該装置が、残量把握手段により、二次電池パックの残量が閾値以下であることを把握すると、通信機能手段により、サーバ装置に対して、前記二次電池パックのシェア要求を送信し、前記サーバ装置が、二次電池パックを提供する店舗又は充電シェアポストの位置情報を前記装置に送信し、前記位置情報を基に、前記ユーザが前記店舗又は充電シェアポストの場所まで移動した場合、当該装置は、近距離通信手段により前記店舗又は充電シェアポストの認証をし、前記認証の後、当該装置は、前記換装により新たに搭載されることとなった、前記店舗又は充電シェアポストにより提供された前記二次電池パックを用いて動作をすることを特徴とする装置が提供される。
更に、本発明によれば、各ユーザが保有する装置は、二次電池パック装着機能手段により、２個以上の二次電池パックを搭載することが可能であると共に、１個のみの二次電池パックでも動作することが可能であり、換装により新たに搭載されることとなった前記二次電池パックを用いて動作をする手段を備え、店舗又は充電シェアポストは、前記二次電池パックを充電し提供する手段を備え、前記装置が、残量把握手段により、二次電池パックの残量が閾値以下であることを把握し、通信機能手段により、前記サーバ装置に対して、前記二次電池パックのシェア要求を送信した場合、当該サーバ装置は、前記シェア要求を受信すると、前記店舗又は充電シェアポストの位置情報を前記装置に送信することを特徴とするサーバ装置が提供される。
【発明の効果】
【００２０】
本発明によれば、充電済みの二次電池パックを必要とするユーザが、充電済みの二次電池パックを保有していて近くに居る別のユーザからそれを提供して貰えることが可能となる。
【図面の簡単な説明】
【００２１】
【図１】本発明の実施形態による二次電池パック提供システムの構成を示す概念図である。
【図２】本発明の実施形態による携帯端末を説明するための図である。
【図３】本発明の実施形態によるサーバ装置の機能を説明するためのブロック図である。
【図４】本発明の実施形態による二次電池パックの提供を受ける側の携帯端末の動作を説明するためのフローチャート（１／２）である。
【図５】本発明の実施形態による二次電池パックの提供を受ける側の携帯端末の動作を説明するためのフローチャート（２／２）である。
【図６】本発明の実施形態による二次電池パックの提供をする側の携帯端末の動作を説明するためのフローチャートである。
【図７】本発明の実施形態による充電装置又は管理装置の機能を説明するためのブロック図である。
【発明を実施するための形態】
【００２２】
以下、図面を参照して本発明を実施するための形態について詳細に説明する。
【００２３】
本実施形態は、会員制の二次電池パックシェアシステム（二次電池パック共有システム）に関するものである。このシステムには、複数の会員が加入する。会員は、携帯端末のユーザであっても、コンビニエンスストアなどの店であっても、充電シェアポストを設置する業者であってもよい。店は、システム運営者の直営店で会ってもよく、充電シェアポストは、システム運営者が直接設置するものであってもよい。
【００２４】
充電量が十分である二次電池パックを保有している会員から、その二次電池パックを、充電量が不十分である二次電池パックしか保有していないユーザに貸す。こうすることにより、ユーザは、充電量が不十分であった二次電池パックを、貸して貰えた二次電池パックに交換することにより、携帯端末を継続して使用することができるようになる。
【００２５】
また、二次電池パックを貸した会員に対しては、貸した二次電池パックの数などに応じて、報酬を与える。
【００２６】
図１に示すように、各携帯端末１０１、１０２、１０３、１０４は、規格化された二次電池パック１１０を複数搭載するための収容スロットを含む。このスロット数は、携帯端末の型式が異なれば、異なっていてもよい。ここで、規格化されているとは、所定の機械的な仕様及び電気的な仕様に従っているということであり、その規格に従った携帯端末は、規格に従った二次電池パックを利用できることをいう。会員であるユーザは、この二次電池パック１１０を借りることができる。本システムでは、二次電池パック１１０を、会員間で共有乃至交換する。
【００２７】
また、各携帯端末１０１、１０２、１０３、１０４は、自携帯端末に搭載されている複数の二次電池パック１１０のうちの１個のみの二次電池パックのみでも動作するし、２個以上の二次電池パックでも動作するように設計されている。
【００２８】
二次電池パック１１０の充電残量がわずかな携帯端末１０１は、サーバ１０５に対して、近くに居る会員であって、充電されている二次電池パックを保有している会員１０２、１０４、１０６に関する情報を問い合わせる。サーバ１０５は、サーバ１０５内のデータベース又はサーバ１０５からアクセス可能なデータベースに保持している情報を基に、そのような会員１０２、１０４、１０６に関する情報（位置情報（住所、緯度と経度の組、地図上の位置、最寄りの駅、最寄りの建造物など）及び連絡先情報（携帯端末電話番号、携帯端末端末以外の電話番号、携帯端末電子メールアドレス、携帯端末以外の電子メールアドレス等））を携帯端末１０１に知らせる。
【００２９】
なお、会員は、二次電池パックに関する情報を、自分のＩＤ自分の現在位置情報と自分の連絡先情報と関連づけて、サーバに送信する。二次電池パックに関する情報は、会員自身が現在保持している二次電池パックの個数と、個々の二次電池パックの充電状態（充電されている電荷量を示す情報）を含む。送信手段は、携帯端末が備えていてもよいし、二次電池パックの充電装置、二次電池パックの収納ケースなどが備えていてもよい。送信手段と、サーバは、インターネット等のネットワークを介して接続されている。
【００３０】
サーバは、会員から受信した二次電池パックに関する情報を会員ＩＤと、会員の現在位置情報と会員の連絡先情報に関連づけて、データベースに蓄積する。
【００３１】
携帯端末１０１のユーザは、携帯端末１０１がサーバ１０５から受信した情報を得て、携帯端末１０２又は１０４を保持するユーザと連絡を取り、待ち合わせの日時と場所を決める。連絡の際には、受信した情報に含まれる電話番号又はメールアドレスを利用する。また、システムが運用する伝言サービスを利用してもよい。この伝言サービスでは、一方のユーザが入力した文や音声を、他方のユーザが読んだり聞いたりすることができる。
【００３２】
待ち合わせた二人のユーザが携帯端末１０１のユーザと携帯端末１０２のユーザであるとすると、携帯端末１０１に装着されている、残量がわずかな２本の二次電池パックのうちの一方と、携帯端末１０２に装着されている、残量が多い２本の二次電池パックのうちの一方を交換する。あるいは、携帯端末１０２のユーザが、携帯端末１０１のユーザに、残量が多い２本の二次電池パックのうちの一方を渡すだけでもよい。そして、残量が多い二次電池パックを受け取った携帯端末１０１のユーザは、携帯端末１０１に装着されている、残量が少ない１本の二次電池パック１１０を外し、それにより空いたスロットに、渡された残量が多い二次電池パックを装着する。こうすることにより、携帯端末１０１の使用を継続することができるようになる。
【００３３】
また、携帯端末１０１のユーザは、携帯端末１０１がサーバ１０５から受信した情報を得て、店舗１０６又は充電シェアポスト１０７の場所を知る。携帯端末１０１のユーザは、携帯端末１０１に装着されている、何れかの残量が少ない二次電池パックと、店舗１０６又は充電シェアポスト１０７に備わる充電装置に装着されている何れかの残量が多い二次電池パックとを交換する。こうすることにより、携帯端末１０１の使用を継続することができるようになる。また、充電装置に新たに装着された二次電池パックの充電が始まる。
【００３４】
携帯端末１０１のユーザは、残量の多い二次電池パックを借りたことを示す情報を、自分のＩＤと共に、サーバ１０５に送信する。これにより、このユーザに対応してサーバ１０５で管理されている蓄積電子ポイントから所定量の電子ポイントが引かれる。他方、携帯端末１０２又は１０３のユーザは、残量の多い二次電池パックを渡したことを示す情報を、自分のＩＤと共に、サーバ１０５に送信する。これにより、このユーザに対応してサーバ１０５で管理されている蓄積電子ポイントから所定量の電子ポイントが加算される。電子ポイントは、通常は、換金性のあるものである。
【００３５】
自動化のために次のような構成としてもよい。二次電池パックの充電残量と、二次電池パックが装着されているか否かの状態と、二次電池パックのＩＤを検出する機能を携帯端末に持たせる。そして、携帯端末１０１は、新たなＩＤの二次電池パックが装着され、充電残量がステップ状に増加したことにより、残量の少ない二次電池パックが残量の多い二次電池パックに置き換わったことを検出したならば、携帯端末１０１は、残量が多い二次電池パックが装着された旨を示すフラグと、新たに装着された二次電池パックのＩＤと、携帯端末１０１のユーザのＩＤをサーバ１０５に送信する。他方、携帯端末１０２又は１０３は、残量が多かった二次電池パックが外されたこと又はそれが残量が少ない二次電池パックに置き換わったことを検出したならば、携帯端末１０２又は１０３は、少なくとも、残量が多い二次電池パックが外されたことを示すフラグと、外された二次電池パックのＩＤと、携帯端末１０２又は１０３のユーザのＩＤをサーバ１０５に送信する。サーバ１０５は、両携帯端末から通知された情報をまとめることによって、携帯端末１０２又は１０３に装着されていた、残量が多い二次電池パックが、携帯端末１０１に換装されたことを検出し、これを基に、携帯端末１０１のユーザから所定量の電子ポイントを引くこと及び携帯端末１０２又は１０３のユーザから所定量の電子ポイントを加算する。
【００３６】
しかし、このように自動化しなければ、自分の不利益を考え、携帯端末１０１のユーザは、残量の多い二次電池パックを借りたことを示す情報を、自分のＩＤと共に、サーバ１０５に送信しないおそれがある。また、上記のような自動化をするとサーバ１０５の処理負担が増大する。
【００３７】
そこで、携帯端末間の近距離通信機能（例えば、赤外線通信、Bluetooth（登録商標）通信等）を利用して、携帯端末１０１と携帯端末１０２又は１０３が通信をし、更に、携帯端末上で動作するアプリケーションを用いる。携帯端末１０１は、残量の多い二次電池パックが新たに装着されたことを示す情報と、その二次電池パックのＩＤと携帯端末１０１のユーザＩＤと、を携帯端末１０２又は１０３に近距離通信機能を用いて送信する。他方、携帯端末１０２又は１０３は、残量の多い二次電池パックが外されたことを検出している。従って、携帯端末１０２又は１０３は、自端末から外された二次電池パックが携帯端末１０１に換装されたことを検出することができる。その後、携帯端末１０２又は１０３は、残量の多い二次電池パックが携帯端末１０２又は１０３から携帯端末１０１に換装されたことを示す情報をサーバ１０５に送信する。これにより、サーバ１０５は、少ない処理量で、携帯端末１０１のユーザから所定量の電子ポイントを減算し、携帯端末１０２又は１０３のユーザに所定量の電子ポイントを加算することができるようになる。
【００３８】
店舗１０６は、充電済みの二次電池パックを借りにユーザが来て、ついでに、買い物などをすることも期待できるので、本システムは、店舗１０６は、このシステム自体から電子ポイントを得られるだけでなく、店舗１０６にとってみれば、このシステムは、集客の面でも効果がある。
【００３９】
充電シェアポスト１０７は、複数の充電装置を含み、或るユーザが持ち込んでセットした残量が少ない二次電池パックを充電し、一般には、充電済みの二次電池パックを他のユーザが借りられるようにしたものである。
【００４０】
店舗１０６においても、充電シェアポスト１０７においても、携帯端末と充電装置又は複数の充電装置を管理する管理装置との間の近距離通信機能（例えば、赤外線通信、Bluetooth（登録商標）通信等）を利用して、携帯端末１０１と充電装置又は管理装置が通信をし、更に、携帯端末上で動作するアプリケーション及び充電装置又は管理装置で動作するアプリケーションを用いる。携帯端末１０１は、残量の多い二次電池パックが新たに装着されたことを示す情報と、その二次電池パックのＩＤと携帯端末１０１のユーザＩＤと、を充電装置又は管理装置に近距離通信機能を用いて送信する。他方、充電装置又は管理装置は、残量の多い二次電池パックが外されたことを検出している。従って、充電装置又は管理装置は、自装置から外された二次電池パックが携帯端末１０１に換装されたことを検出することができる。その後、充電装置又は管理装置は、残量の多い二次電池パックが充電装置から携帯端末１０１に換装されたことを示す情報をサーバ１０５に送信する。これにより、サーバ１０５は、少ない処理量で、携帯端末１０１のユーザから所定量の電子ポイントを減算し、店舗１０６又は充電シェアポストの管理者に所定量の電子ポイントを加算することができるようになる。
【００４１】
次に、本発明の実施形態による二次電池パックシェアシステムの詳細について説明をする。
【００４２】
本システムの全体構成としては、図１に示すように、規格化された二次電池パック１１０を電源として使用する携帯端末１０１、１０２、１０３、１０４があり、各携帯端末は自分の位置情報、自端末の装着されている二次電池パックの充電量、二次電池のシェア許可設定情報をサーバに１０５に随時転送する。サーバ１０５は、これらを管理する。携帯端末には、その他に携帯端末同士で通信する手段を有する。この通信手段は近距離無線、赤外線通信などである。サーバ１０５には、この他に携帯端末同士のコミュニケーションの手段を提供する機能や、各端末のサービスの利用状況や、二次電池パックを提供したことに関する履歴などを保持する機能を有する。また、派生装置として、二次電池パックの充電機能を有し、提供可能な二次電池パックの在庫があるかの情報をサーバ１０５に送ることが可能な充電シェアポスト１０７がある。充電シェアポスト１０７には、その他に携帯端末と通信する手段を有する。また、充電シェアポスト１０７と同様な機能を持った店舗１０６なども本システムには含まれる。
【００４３】
図２は、携帯端末に必要な機能要素と二次電池パックの形態の一例を示す図である。携帯端末は、規格化された２個以上の二次電池パックを装着できる二次電池パック装着機能部２１０、サーバ１０５との通信を行う通信機能部２１１、携帯端末同士の近距離通信を行う近距離通信機能部２１２、表示部２１３、二次電池パックの残量を把握する残量把握機能部２１４、携帯端末の位置を取得する位置情報取得機能部２１５を有する。
【００４４】
２個以上の二次電池パックのうちの１つの二次電池パックが外されても、少なくとも１つの二次電池パックが装着されているので、携帯端末は動作を継続できる。
【００４５】
通信機能部２１１はサーバ１０５と各種情報をやりとりするために使用する。近距離通信機能部２１２は、二次電池パックの提供を受ける側と、提供する側で認証するために有する。表示部２１３は、携帯端末のユーザとのインターフェイスである。二次電池パックの残量把握機能部２１４は、二次電池パックの残量がわずかになったときに、充電済みの別の二次電池パックが必要であることをユーザに知らせることと、他方で、二次電池パックの充電残量が十分であるときに、その二次電池パックを貸せることをユーザに知らせることのために少なくとも必要な部分である。位置情報取得機能部２１５は、サーバ１０５に自端末の位置を知らせるために使用する。内蔵型携帯端末２０１は、二次電池パック１１０を２個内蔵することが可能な携帯端末の例である。内蔵型携帯端末２０２は、二次電池パック１１０を３個内蔵することが可能な携帯端末の例である。規格外携帯端末２０４は、規格化されていない二次電池パックを使用する携帯端末であり、２つ以上の二次電池パック１１０を携帯アタッチ装置２０３に付けて、この携帯アタッチ装置２０３を規格外携帯端末２０４に装着することにより、規格外携帯端末であっても、規格化された二次電池パックを利用できるようにする。
【００４６】
図３は、サーバ１０５が有する機能を示すブロック図である。サーバ１０５は、ユーザ情報管理部２２１、二次電池パックデータベース２２２、通知管理部２２３、コミュニケーション機能提供部２２４を含む。ユーザ情報管理部２２１は、サービス利用情報管理部２２１−１、サービス提供情報管理部２２２−２を含む。
【００４７】
サービス利用情報管理部２２２−１は、各ユーザが、充電済みの二次電池パックを借りた回数を保持し、管理する。サービス提供情報管理部２２２−２は、各ユーザが、充電済みの二次電池パックを提供した回数を保持し、管理する。二次電池パックデータベース２２２は、提供可能な二次電池パック（充電済みの二次電池パック）に関する情報を保持し、管理する。提供可能な二次電池パックに関する情報は、各二次電池パックがどのユーザの装置に装着されているかということに関する情報、各二次電池パックの充電残量に関する情報を含む。通知管理部２２３は、各利用者に、二次電池パックの貸与を必要としている他の利用者が近くにいることを通知する。コミュニケーション機能提供部２２４は、二次電池パックを借りたい利用者と二次電池パックを貸すこととする利用者との間で待ち合わせの場所などを決めるための機能を提供するものであり、例えば、伝言サービス機能を提供する。
【００４８】
図４、図５を参照して、二次電池パックを要求する側の携帯端末の動作を説明する。一定時間ごとに電池の残量を確認し、残りわずかかどうか判定をする（ステップＳ３０１、Ｓ３０３のループ）。残りわずかだった場合（ステップＳ３０３でＹＥＳ）、ユーザに、二次電池パックを借りることをサーバ１０５に要求するか否かを訪ねるための表示をし（ステップＳ３０５）し、ユーザは行うか、行わないかを選択する（ステップＳ３０７）。ユーザが、シェア要求を行うことを選択した場合（ステップＳ３０９で「行う」）、ユーザが二次電池パックを借りたい旨の意思表示をしていることをサーバ１０５に通知する。
【００４９】
これとは、別に、ユーザから携帯端末への入力により、二次電池パックの残量が少ないか否かにかかわらず、ユーザが自発的に、二次電池パックを借りたい旨の意思表示をしていることをサーバ１０５に通知してもよい（ステップＳ３１１）。
【００５０】
サーバ１０５は、二次電池パックを借りられる近くの１以上の場所に関する情報を携帯端末に返信する（ステップＳ３１３）。携帯端末は、その場所に関する情報を表示し（ステップＳ３１５）、ユーザは、何れかの場所を選択する（ステップＳ３１７）。次に、携帯端末は、ユーザによる選択結果をサーバ１０５に送信する（ステップＳ３１９）。
【００５１】
ユーザが選択したものが店舗１０６又は充電シェアポスト１０７である場合には（ステップＳ３２１で「店舗／充電シェアポスト」）、携帯端末は、サーバ１０５からこれらの位置情報を入手する（ステップＳ３２３）。次に、ユーザは、店舗１１０又は充電シェアポスト１０７の場所まで移動する（ステップＳ３２９）。
【００５２】
他方、ユーザが選択したものが、他ユーザである場合には（ステップＳ３２１で「他ユーザ」）、サーバ１０５経由で相手ユーザとコミュニケーションを行い（ステップＳ３２５）、待ち合わせの場所を決める（ステップＳ３２７）。このためには、上述したような伝言サービスを用いてもよい。コミュニケーションを、例えば、電話や電子メールなどのサーバ１０５を経由しないものとしてもよい。次に、ユーザは、待ち合わせの場所まで移動する（ステップＳ３２９）。
【００５３】
ステップＳ３２９での移動の後、ユーザの携帯端末は、相手である店舗１０６又は充電シェアポスト１０７の通信装置又は他ユーザの携帯端末と近距離通信で認証を行い（ステップＳ３３１）、自携帯端末に装着されていた、残量の少ない二次電池パックと、相手の、残量の多い二次電池パックを１つ以上交換し（ステップＳ３３３）、サーバ１０５に終了通知をおこなう（ステップＳ３３５）。
【００５４】
次に、図６を参照して、二次電池パックを提供する側の携帯端末の動作を説明する。二次電池パックを貸すことがユーザにより許可されているか否かを一定時間ごとに確認する（ステップＳ４０１、Ｓ４０３ループ）。許可されている場合には（ステップＳ４０３でＹＥＳ）、貸すことができるほどに十分充電されている二次電池パックが携帯端末に装着されているか否かを判断し（ステップＳ４０５）、されていなければ、ステップＳ４０１に戻り、されていれば、ステップＳ４０７に進む。
【００５５】
ステップＳ４０７では、携帯端末は、自携帯端末の位置を取得し（ステップＳ４０７）、その位置に関する位置情報と共に、貸すことができるほどに十分充電されている二次電池パックが装着されていることを表す情報をサーバ１０５に送信する（ステップＳ４０９）、サーバ１０５はこれらの情報をデータベースに追加する。
【００５６】
サーバ１０５から二次電池パックのシェア要求（提供要求）が来た場合（ステップＳ４１１）、携帯端末は、シェア要求（提供要求）が来ている旨を表示し（ステップＳ４１３）、ユーザはこれを受けるか否かを選択する（ステップＳ４１５）。
【００５７】
受けることを選択した場合（ステップＳ４１７で「受ける」）、携帯端末は、受ける旨をサーバ１０５に通知する（ステップＳ４１９）。次に、相手からも選ばれたか否かに関する情報を、携帯端末は、サーバ１０５から通知される（ステップＳ４２１）。
【００５８】
相手からも選ばれた場合には（ステップＳ４２３でＹＥＳ）、図６のステップＳ３２５、Ｓ３２７の対応ステップであるステップＳ４２５、４２７を行い、ここで、サーバ１０５経由で相手とユーザとコミュニケーションを行い、お互いの場所を特定する。
【００５９】
その後、ユーザは示された場所に移動し（ステップＳ４２９）、相手と近距離通信で認証をおこない（ステップ４３１）、二次電池パックを１つ以上相手に提供し（ステップＳ４３３）、サーバ１０５に終了通知をおこなう（ステップＳ４３５）。なお、相手に充電済みの二次電池パックを提供するのみならず、相手から残量が少なくなっている二次電池パックを受け取ってもよい。こうすれば、その残量が少なくなっている二次電池パックを後に充電し、充電後に他者に提供して電子ポイントを得ることもできる。無論、充電してから二次電池パックを自分の携帯端末で利用してもよい。
【００６０】
図７は、図２に示した携帯端末の機能のうち、通信機能部２１１、近距離通信機能部２１２、表示部２１３、残量把握機能部２１４、位置情報取得機能部２１５のすべてもしくは一部を持たない携帯機器６０１の例であり、店舗１０５又は充電シェアポストに備わる充電装置又はその管理装置に該当する。この携帯機器６０１とＩＣカード６０２を組み合わせて、ＩＣカード６０２により認証を行う機能を持たせることにより、充電シェアポスト１０７などで、電池の交換をできるようにするものである。
【００６１】
出先において携帯電話、スマートフォンなどの携帯端末の二次電池切れを防ぐため、従来は予備の電源を持ち歩くか、どこかで充電装置、電源を借りる必要があった。予備電源を持ち歩くと携帯性が損なわれるが、本実施形態では予備電源を持ち歩く必要はないため、携帯性に優れる。また、従来は充電装置、電源を借りる手段もあるが、この場合はそこで充電する時間を必要とするという欠点がある。これに対し、本実施形態では充電時間を待つ必要性はなくなる。また、シェアにより二次電池を提供する側は提供により利益が還元されることにより、利益をえる。利益を得ることにより、シェアを提供する側のユーザの増加や、充電シェアポスト１０７の設置などが増える。
【００６２】
なお、上記の携帯端末、店舗に備わる装置、充電シェアポストに備わる装置は、ハードウェア、ソフトウェア又はこれらの組合わせにより実現することができる。また、上記の携帯端末、店舗に備わる装置、充電シェアポストに備わる装置により行なわれる二次電池パック貸借方法も、ハードウェア、ソフトウェア又はこれらの組合わせにより実現することができる。ここで、ソフトウェアによって実現されるとは、コンピュータがプログラムを読み込んで実行することにより実現されることを意味する。
【００６３】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６４】
上記の実施形態の一部又は全部は、以下の付記のようにも記載されうるが、以下には限られない。
【００６５】
（付記１）
各ユーザが保有する装置は、２個以上の二次電池パックを搭載することが可能であると共に、１個のみの二次電池パックでも動作することが可能であり、
第１のユーザが保有する第１の装置に搭載されている二次電池パックを、第２のユーザが保有する第２の装置に換装した場合、前記第１の装置は、換装された前記二次電池パック以外の搭載されている二次電池パックを用いて動作を続け、前記第２の装置は、換装により新たに搭載されることとなった前記二次電池パックを用いて動作をするようになることを特徴とする二次電池パック提供システム。
【００６６】
（付記２）
付記１に記載の二次電池パック提供システムであって、
サーバ装置が、前記換装と関連して、前記第１のユーザに関連づけられた電子ポイントを加算し、前記第２のユーザに関連づけられた電子ポイントを減算することを特徴とする二次電池パック提供システム。
【００６７】
（付記３）
付記２に記載の二次電池パック提供システムであって、
前記第２の装置が、前記第１の装置に、近距離通信を用いて、前記加算と前記減算に必要な情報の一部を送信し、前記第１の装置が、前記サーバ装置に、前記加算と減算に必要な情報であって、前記第１の装置から受信した部分を含む情報を送信することを特徴とする二次電池パック提供システム。
【００６８】
（付記４）
付記１乃至３の何れか１に記載の二次電池パック提供システムであって、
前記第１のユーザと前記第２のユーザとが待ち合わせをするための連絡をするために、前記第１の装置と前記第２の装置が、サーバ装置から送られてきた相手ユーザに関する情報に基づいて、通信を行うことを特徴とする二次電池パック提供システム。
【００６９】
（付記５）
付記１乃至４の何れか１に記載の二次電池パック提供システムであって、
店舗又は充電シェアポストで充電されている二次電池パックを、第２のユーザが保有する第２の装置に換装した場合、前記第２の装置は、換装により新たに搭載されることとなった前記二次電池パックを用いて動作をするようになることを特徴とする二次電池パック提供システム。
【００７０】
（付記６）
付記５に記載の二次電池パック提供システムであって、
サーバ装置が、前記換装と関連して、前記店舗又は前記充電シェアポストに関連づけられた電子ポイントを加算し、前記第２のユーザに関連づけられた電子ポイントを減算することを特徴とする二次電池パック提供システム。
【００７１】
（付記７）
付記６に記載の二次電池パック提供システムであって、
前記第２の装置が、前記店舗又は前記シェアポストに備わる装置に、近距離通信を用いて、前記店舗又は前記充電シェアポストに関連づけられた電子ポイントの加算と前記第２のユーザに関連づけられた電子ポイントの減算に必要な情報の一部を送信し、前記店舗又は前記シェアポストに備わる装置が、前記サーバ装置に、前記加算と減算に必要な情報であって、前記第１の装置から受信した部分を含む情報を送信することを特徴とする二次電池パック提供システム。
【００７２】
（付記８）
付記５乃至７の何れか１に記載の二次電池パック提供システムであって、
サーバ装置が、前記換装と関連して、前記店舗又は前記充電シェアポストに関連づけられた電子ポイントを加算し、前記第２のユーザに関連づけられた電子ポイントを減算することを特徴とする二次電池パック提供システム。
【００７３】
（付記９）
付記５乃至８の何れか１に記載の二次電池パック提供システムであって、
前記サーバ装置が、前記第２の装置に、前記店舗又は前記充電シェアポストの位置情報を送信することを特徴とする二次電池パック提供システム。
【００７４】
（付記１０）
各ユーザが保有する装置は、２個以上の二次電池パックを搭載することが可能であると共に、１個のみの二次電池パックでも動作することが可能であり、
第１のユーザが保有する第１の装置に搭載されている二次電池パックを、第２のユーザが保有する第２の装置に換装した場合、前記第１の装置は、換装された前記二次電池パック以外の搭載されている二次電池パックを用いて動作を続け、前記第２の装置は、換装により新たに搭載されることとなった前記二次電池パックを用いて動作をするようになることを特徴とする二次電池パック提供方法。
【００７５】
（付記１１）
付記１０に記載の二次電池パック提供方法であって、
サーバ装置が、前記換装と関連して、前記第１のユーザに関連づけられた電子ポイントを加算し、前記第２のユーザに関連づけられた電子ポイントを減算することを特徴とする二次電池パック提供方法。
【００７６】
（付記１２）
付記１１に記載の二次電池パック提供方法であって、
前記第２の装置が、前記第１の装置に、近距離通信を用いて、前記加算と前記減算に必要な情報の一部を送信し、前記第１の装置が、前記サーバ装置に、前記加算と減算に必要な情報であって、前記第１の装置から受信した部分を含む情報を送信することを特徴とする二次電池パック提供方法。
【００７７】
（付記１３）
付記１０乃至１２の何れか１に記載の二次電池パック提供方法であって、
前記第１のユーザと前記第２のユーザとが待ち合わせをするための連絡をするために、前記第１の装置と前記第２の装置が、サーバ装置から送られてきた相手ユーザに関する情報に基づいて、通信を行うことを特徴とする二次電池パック提供方法。
【００７８】
（付記１４）
付記１０乃至１３の何れか１に記載の二次電池パック提供方法であって、
店舗又は充電シェアポストで充電されている二次電池パックを、第２のユーザが保有する第２の装置に換装した場合、前記第２の装置は、換装により新たに搭載されることとなった前記二次電池パックを用いて動作をするようになることを特徴とする二次電池パック提供方法。
【００７９】
（付記１５）
付記１４に記載の二次電池パック提供方法であって、
サーバ装置が、前記換装と関連して、前記店舗又は前記充電シェアポストに関連づけられた電子ポイントを加算し、前記第２のユーザに関連づけられた電子ポイントを減算することを特徴とする二次電池パック提供方法。
【００８０】
（付記１６）
付記１５に記載の二次電池パック提供方法であって、
前記第２の装置が、前記店舗又は前記シェアポストに備わる装置に、近距離通信を用いて、前記店舗又は前記充電シェアポストに関連づけられた電子ポイントの加算と前記第２のユーザに関連づけられた電子ポイントの減算に必要な情報の一部を送信し、前記店舗又は前記シェアポストに備わる装置が、前記サーバ装置に、前記加算と減算に必要な情報であって、前記第１の装置から受信した部分を含む情報を送信することを特徴とする二次電池パック提供方法。
【００８１】
（付記１７）
付記１４乃至１６の何れか１に記載の二次電池パック提供方法であって、
サーバ装置が、前記換装と関連して、前記店舗又は前記充電シェアポストに関連づけられた電子ポイントを加算し、前記第２のユーザに関連づけられた電子ポイントを減算することを特徴とする二次電池パック提供方法。
【００８２】
（付記１８）
付記１４乃至１７の何れか１に記載の二次電池パック提供方法であって、
前記サーバ装置が前記第２の装置に、前記店舗又は前記充電シェアポストの位置情報を送信することを特徴とする二次電池パック提供方法。
【００８３】
（付記１９）
２個以上の二次電池パックを搭載することが可能であると共に、１個のみの二次電池パックでも動作することが可能であり、
他のユーザが保有する他の装置に搭載されている二次電池パックを、当該装置のユーザが保有する当該装置に換装した場合、当該装置は、換装により新たに搭載されることとなった前記二次電池パックを用いて動作をするようになり、
サーバ装置が、前記換装と関連して、前記第１のユーザに関連づけられた電子ポイントを加算し、前記第２のユーザに関連づけられた電子ポイントを減算する際において、当該装置が、前記他の装置に、近距離通信を用いて、前記加算と前記減算に必要な情報の一部を送信し、前記他の装置が、前記サーバ装置に、前記加算と減算に必要な情報であって、当該装置から受信した部分を含む情報を送信することを特徴とする装置。
【００８４】
（付記２０）
付記１９記載の装置であって、
前記他のユーザと当該装置のユーザとが待ち合わせをするための連絡をするために、当該装置と前記他の装置が、サーバ装置から送られてきた相手ユーザに関する情報に基づいて、通信を行うことを特徴とする装置。
【００８５】
（付記２１）
付記１９又は２０に記載の装置であって、
店舗又は充電シェアポストで充電されている二次電池パックを、当該装置に換装した場合、当該装置は、換装により新たに搭載されることとなった前記二次電池パックを用いて動作をするようになることを特徴とする装置。
【００８６】
（付記２２）
付記２１に記載の装置であって、
当該装置が、前記店舗又は前記シェアポストに備わる装置に、近距離通信を用いて、前記加算と前記減算に必要な情報の一部を送信し、前記店舗又は前記シェアポストに備わる装置が、前記サーバ装置に、前記加算と減算に必要な情報であって、前記第１の装置から受信した部分を含む情報を送信することを特徴とする装置。
【００８７】
（付記２３）
付記２１又は２２に記載の装置であって、
サーバ装置が、前記換装と関連して、前記店舗又は前記充電シェアポストに関連づけられた電子ポイントを加算し、前記第２のユーザに関連づけられた電子ポイントを減算するのに際し、
前記サーバ装置から、前記店舗又は前記充電シェアポストの位置情報を受信することを特徴とする装置。
【００８８】
（付記２４）
２個以上の二次電池パックを搭載することが可能であると共に、１個のみの二次電池パックでも動作することが可能であり、
当該装置のユーザが保有する当該装置に搭載されている二次電池パックを、他のユーザが保有する他の装置に換装した場合、当該装置は、換装された前記二次電池パック以外の搭載されている二次電池パックを用いて動作を続け、
サーバ装置が、前記換装と関連して、前記第１のユーザに関連づけられた電子ポイントを加算し、前記第２のユーザに関連づけられた電子ポイントを減算するのに際し、
前記他の装置から、近距離通信を用いて、前記加算と前記減算に必要な情報の一部を受信し、当該装置が、前記サーバ装置に、前記加算と減算に必要な情報であって、前記他の装置から受信した部分を含む情報を送信することを特徴とする装置。
【００８９】
（付記２５）
付記２４に記載の装置であって、
当該装置のユーザと前記他のユーザとが待ち合わせをするための連絡をするために、当該装置と前記他の装置が、サーバ装置から送られてきた相手ユーザに関する情報に基づいて、通信を行うことを特徴とする装置。
【００９０】
（付記２６）
各ユーザが保有する装置は、２個以上の二次電池パックを搭載することが可能であると共に、１個のみの二次電池パックでも動作することが可能であり、
第１のユーザが保有する第１の装置に搭載されている二次電池パックを、第２のユーザが保有する第２の装置に換装した場合、前記第１の装置は、換装された前記二次電池パック以外の搭載されている二次電池パックを用いて動作を続け、前記第２の装置は、換装により新たに搭載されることとなった前記二次電池パックを用いて動作をするようになり、
当該サーバ装置が、前記換装と関連して、前記第１のユーザに関連づけられた電子ポイントを加算し、前記第２のユーザに関連づけられた電子ポイントを減算することを特徴とするサーバ装置。
【００９１】
（付記２７）
付記２６に記載のサーバ装置であって、
前記第１のユーザと前記第２のユーザとが待ち合わせをするための連絡をするために、前記第１の装置と前記第２の装置が通信を行うために、前記第１の装置と前記第２の装置に、相手ユーザに関する情報を送信することを特徴とするサーバ装置。
【００９２】
（付記２８）
付記２６又は２７に記載のサーバ装置であって、
店舗又は充電シェアポストで充電されている二次電池パックを、第２のユーザが保有する第２の装置に換装した場合、前記第２の装置は、換装により新たに搭載されることとなった前記二次電池パックを用いて動作をするようになり、
店舗又は充電シェアポストで充電されている二次電池パックの、第２のユーザが保有する第２の装置への前記換装と関連して、前記店舗又は前記充電シェアポストに関連づけられた電子ポイントを加算し、前記第２のユーザに関連づけられた電子ポイントを減算することを特徴とするサーバ装置。
【００９３】
（付記２９）
付記２８に記載のサーバ装置であって、
前記第２の装置に、前記店舗又は前記充電シェアポストの位置情報を送信することを特徴とするサーバ装置。
【００９４】
（付記３０）
各ユーザが保有する装置は、２個以上の二次電池パックを搭載することが可能であると共に、１個のみの二次電池パックでも動作することが可能であり、
店舗又は充電シェアポストに備わる当該充電装置で充電されている二次電池パックを、ユーザが保有する装置に換装した場合、前記ユーザが保有する装置は、換装により新たに搭載されることとなった前記二次電池パックを用いて動作をするようになり、
サーバ装置が、前記換装と関連して、前記店舗又は前記充電シェアポストに関連づけられた電子ポイントを加算し、前記ユーザに関連づけられた電子ポイントを減算し、
前記ユーザが保有する装置から、近距離通信を用いて、前記加算と前記減算に必要な情報の一部を受信し、前記サーバ装置に、前記加算と減算に必要な情報であって、前記ユーザが保有する装置から受信した部分を含む情報を送信することを特徴とする充電装置。
【産業上の利用可能性】
【００９５】
本発明は、携帯電話、スマートフォンの他に、携帯ゲーム機、ノートパソコン、タブレット、携帯扇風機、ライトなどの電源としての二次電池パックの利用に適用できる。
【００９６】
また、本発明は、二次電池パックによる電源を必要とする装置に適用することができる。例えば、電気自動車やハイブリッド自動車にも適用することができる。
【符号の説明】
【００９７】
１０１、１０２、１０３、１０４  携帯端末
１０５  サーバ
１０６  店舗
１０７  充電シェアポスト
【図１】
0005557350.tif 000002
【図２】
0005557350.tif 000003
【図３】
0005557350.tif 000004
【図４】
0005557350.tif 000005
【図５】
0005557350.tif 000006
【図６】
0005557350.tif 000007
【図７】
0005557350.tif 000008